(57)【特許請求の範囲】
【請求項１】
現像済の写真フィルムの画像を印画紙に焼き付ける第１の露光系と、この印画紙を処理部に搬送する第１の搬送系と、前記処理部の前段において前記第１の搬送系から分岐して合流する第２の搬送系と、この第２の搬送系に配置される第２の露光系とを備えることを特徴とする写真焼付処理装置。
【請求項２】
前記第２の搬送系を、第１の露光系と前記処理部との間に配置したことを特徴とする請求項１記載の写真焼付処理装置。
【請求項３】
前記第２の露光系は、あるオーダーの前記現像済の写真フィルムの所定画像をまとめて焼き付けること特徴とする請求項１または請求項２記載の写真焼付処理装置。
【請求項４】
前記第２の搬送系は、前記少なくとも１枚以上の第２露光系で焼き付ける印画紙が滞留可能な長さを有することを特徴とする請求項１乃至請求項３のいずれかに記載の写真焼付処理装置。
【請求項５】
前記第１の露光系の焼き付けが始まる以前に、前記第２の露光系で焼き付ける印画紙を搬送しておくことを特徴とする請求項１乃至請求項４記載のいずれかに記載の写真焼付処理装置。
【請求項６】
前記第２の露光系での焼き付けが、前記第１の露光系における焼き付け前に実施されるプレジャッジ動作の完了を検出して行なわれ、また前記第２の露光系で焼き付けた印画紙は、第２の搬送系により前記第１の露光系で最終画像を焼き付けた印画紙の次に前記処理部に搬送されることを特徴とする請求項１乃至請求項５記載のいずれかに記載の写真焼付処理装置。
【発明の詳細な説明】
【０００１】
【発明の属する技術分野】
この発明は、第１の露光系と第２の露光系を備える写真焼付処理装置に関するものである。
【０００２】
【従来の技術】
写真焼付処理装置では、例えば現像済の写真フィルムの画像を印画紙に焼き付けて処理部に搬送して現像処理して写真プリントを得ているが、この場合オーダー毎に、現像済の写真フィルムの画像を１枚の印画紙に焼き付けて処理部で処理してインデックスプリント等を得ることがある。
【０００３】
【発明が解決しようとする課題】
このように、通常の写真プリントとインデックスプリント等を得る場合に、同一の搬送系上に通常のプリントの露光系とインデックスプリント等を露光する他の露光系を配置することがあるが、２つの露光系の処理時間に大きな差がある場合、早い露光系、例えば通常の写真プリント露光の処理が、遅い露光系、例えばインデックスプリント露光の処理に影響をうけ、処理能力が低下してしまう。
【０００４】
また、例えば通常の写真プリントは、印画紙を用いたプリント露光を行い、もう一方はサーマルプリンタ等の別のプリントユニットにより普通紙に出力してインデックスプリンタを得るものがあるが、この場合は２つの出力を別々の系で行うため、２つの系の処理時間に差があってもその吸収が容易だが、出力メディアが異なってしまう等の問題がある。
【０００５】
この発明は、かかる点に鑑みてなされたもので、第１の露光系と第２の露光系を備え、処理能力が低下することなく印画紙を用いたプリントを得ることができる写真焼付処理装置を提供することを目的としている。
【０００６】
【課題を解決するための手段】
前記課題を解決し、かつ目的を達成するために、請求項１記載の発明は、現像済の写真フィルムの画像を印画紙に焼き付ける第１の露光系と、この印画紙を処理部に搬送する第１の搬送系と、前記処理部の前段において前記第１の搬送系から分岐して合流する第２の搬送系と、この第２の搬送系に配置される第２の露光系とを備えることを特徴としている。第１の搬送系から印画紙を第２の搬送系で分岐させ、この印画紙に第２の露光系で焼き付けを行ない、その後に第１の搬送系に合流させるから、第１の露光系での焼き付けを第２の露光系の焼き付けに影響させることなく行うことができ、処理能力が向上する。
【０００７】
請求項２記載の発明は、前記第２の搬送系を、第１の露光系と前記処理部との間に配置したことを特徴としている。第２の搬送系が、第１の露光系と処理部との間に位置しているから、第２の露光系で焼き付けられた印画紙を迅速に処理部に送ることができ処理時間を短縮することができる。
【０００８】
請求項３記載の発明は、前記第２の露光系が、あるオーダーの前記現像済の写真フィルムの所定画像をまとめて焼き付けること特徴としている。第２の露光系によりインデックスプリントを得る焼き付けを行うことができる。
【０００９】
請求項４記載の発明は、前記第２の搬送系は、前記少なくとも１枚以上の第２露光系で焼き付ける印画紙が滞留可能な長さを有することを特徴としている。第２の搬送系に、１枚以上の印画紙を確実に滞留させて第２の露光系により焼き付けを行い第１の搬送系に合流させることができる。
【００１０】
請求項５記載の発明は、前記第１の露光系の焼き付けが始まる以前に、前記第２の露光系で焼き付ける印画紙を搬送しておくことを特徴としている。第２の露光系で焼き付ける印画紙を予め搬送しておくことで、第１の露光系での焼き付けを処理に依存することなく、第２の露光系での焼き付け処理を開始することができる。
【００１１】
請求項６記載の発明は、前記第２の露光系での焼き付けが、前記第１の露光系における焼き付け前に実施されるプレジャッジ動作の完了を検出して行なわれ、また前記第２の露光系で焼き付けた印画紙は、第２の搬送系により前記第１の露光系で最終画像を焼き付けた印画紙の次に前記処理部に搬送されることを特徴としている。第１の露光系での焼き付けの際実施されるプレジャッジ動作の完了を検出して第２の露光系で焼き付けを行い、この第２の露光系で焼き付けた印画紙の搬送は、第１の露光系で最終画像を焼き付けた印画紙の次に処理部に搬送するから、例えば必ずオーダーの写真プリントの最後にインデックスプリントを得ることができる。
【００１２】
【発明の実施の形態】
以下、この発明の写真焼付処理装置の実施の形態を図面に基づいて説明する。図１は感光材料処理装置と写真焼付処理装置とを一体的に構成したプリンタプロセッサの概略図、図２は第１の露光部での処理を示す図、図３は搬送順を示す図である。
【００１３】
プリンタプロセッサ１の右側に感光材料処理装置２を、左側に写真焼付処理装置３を位置させて、感光材料処理装置２と写真焼付処理装置３とを一体的に構成している。この写真焼付処理装置３には、現像済の写真フィルムＦの画像を印画紙Ｐに焼き付ける第１の露光系４と、この印画紙Ｐを感光材料処理装置２の処理部５１に搬送する第１の搬送系６と、第１の露光系４と処理部５１との間に第１の搬送系６から分岐して合流する第２の搬送系７と、この第２の搬送系７に配置される第２の露光系８とが備えられている。この実施の形態では、第２の搬送系７が第１の露光系４と処理部５１との間に配置され、第２の露光系７で焼き付けられた印画紙を迅速に処理部に送ることができ処理時間を短縮することができるように構成されている。なお、第２の搬送系７は、これに限定されず処理部５１の前段に配置されればよい。
【００１４】
また、写真焼付処理装置３の左下部には、未露光のハロゲン化銀写真感光材料である印画紙Ｐをロール状に収納したマガジン９がセットされる。このマガジン９から引き出された印画紙Ｐは、送りローラ１０で送り出されて、カッター部１１を介して所定のサイズに切断されて、シート状の印画紙Ｐとなる。このシート状の印画紙Ｐは、ベルト搬送手段１２によって搬送される。
【００１５】
第１の搬送系６は、送りローラ１０、ベルト搬送手段１２及び搬送ローラ１３から構成され、ロール状の印画紙をシート状の印画紙Ｐにして処理部５１へ搬送する。
【００１６】
感光材料処理装置２には、処理部５１と乾燥部５２とが備えられ、シート状の印画紙は、処理部５１に配置された発色現像槽５１ａ、漂白定着槽５１ｂ、安定槽５１ｃ，５１ｄ，５１ｅ内を順次搬送され、それぞれ発色現像処理、漂白定着処理、安定化処理がなされる。この処理部５１で各処理がなされたシート状の印画紙は、乾燥部５２において乾燥されて感光材料処理装置２外に排出される。
【００１７】
第１の露光系４は、露光ハウジング１４に光源１５を備え、ネガキャリア１６にセットされる現像済の写真フィルムＦのネガ画像がレンズ１７を介してシート状の印画紙Ｐに露光され、露光されたシート状の印画紙Ｐは、複数対の搬送ローラ１３により搬送され、感光材料処理装置２の処理部５内に導入される。
【００１８】
また、写真焼付処理装置３には、モニタ３０、スキャナカメラ３１及び制御部３２が備えられている。スキャナカメラ３１では、第１の露光系４で図１及び図２に示すように、現像済の写真フィルムＦの矢印Ａ方向の搬送する時に、順次コマの画像を読み込み、この読み込んだコマの画像Ｆ１を制御部３２によりモニタ３０に表示して色補正や濃度補正などを行う。モニタ３０による表示は、例えば現像済の写真フィルムＦ上の画像を６コマ分ずつを表示して補正を行う。このモニタ３０上に出力された画像の色補正や濃度補正の作業は、一般にプレジャッジ動作と呼ばれており、この作業が済んだコマから順次プリント作業が開始される。
【００１９】
すなわち、現像済の写真フィルムＦの矢印Ａ方向の搬送で順次コマの画像を読み込み、全部のコマの画像の読み込みが終了すると、前記モニタ表示を行い、オペレータによるプレジャッジ動作が実施されると、矢印Ｂ方向に搬送して印画紙Ｐへの焼き付けを行い、図３に示すように、例えば２４枚目の画像を印画紙Ｐに焼き付け、感光材料処理装置２により現像処理して通常の写真プリントを作成する。
【００２０】
第２の搬送系７は、分岐部１９及び合流部２０を有し、この分岐部１９と合流部２０との間に搬送ローラ２１が配置されている。さらに、分岐部１９には印画紙Ｐを第２の搬送系７側に切り換える切換手段２２が配置され、切換手段２２は制御部３２により制御され、所定のタイミングで印画紙が第１の搬送系６から第２の搬送系７へ分岐される。
【００２１】
第２の搬送系７は、第２の露光系８の位置、もしくは前、もしくは後ろもしくは前後の両方に少なくとも１枚以上の第２露光系８で焼き付けられるシート状の印画紙Ｅが滞留可能な長さを有している。このように、第２の搬送系７が、少なくとも１枚以上のシート状の印画紙Ｅを滞留可能な長さを有することで、１枚以上の印画紙Ｅを確実に滞留させて第２の露光系８により焼き付けを行い第１の搬送系６に合流させることができる。
【００２２】
第２の露光系８は、例えば露光部２３及びレンズ２４から構成されている。露光部２３は、例えばＬＥＤ等の発光素子から構成され、制御部３２からの制御により発光して図３に示すようにあるオーダーの現像済の写真フィルムＦの所定画像をまとめて印画紙Ｅに焼き付け、感光材料処理装置２により現像処理してインデックスプリントを作成することができる。
【００２３】
すなわち、まず、あるオーダーの写真フィルムＦがネガキャリア１６にロードされると、制御部３２は写真フィルムＦを矢印Ａ方向へ搬送しながら順次コマ画像の読み取りをスキャナカメラ３１にて行うが、このとき同時に、第２の露光系８で焼き付ける印画紙Ｅが、ロール状の印画紙Ｐをカッター部１１で切断して形成され、さらにこのシート状の印画紙Ｅを第２の搬送系７まで搬送しておく。
【００２４】
１オーダー分の画像読み取りが終了すると、モニタ３０上に読み取られた画像を写真フィルムＦの後端部側から、例えば６コマ毎に表示してプレジャッジ動作が可能となる。オペレータはモニタ３０上の画像を検定して必要ならば色補正や濃度補正等のプレジャッジを行う。プレジャッジが完了すると、完了したコマから順次焼き付けが開始される。写真フィルムＦが矢印Ｂ方向へ搬送され、同時に順次通常プリント用の印画紙Ｐがマガジン９より引き出され、カッター部１１で切断されて第１の露光系４に搬送され焼き付けが行われる。
【００２５】
焼き付けられた通常プリントは、第１の搬送系６を介して感光材料処理装置２へ送られる。この通常プリントは、第２の搬送系７を経由しない。
【００２６】
全ての画像コマのプレジャッジが終了すると、制御部３２は第２の搬送系７へ予め搬送しておいた印画紙Ｅに読み取った全画像コマをまとめたインデックスプリントの作成を開始する。この処理は、第１の露光系４での通常プリントと平行して行われる。
【００２７】
通常の写真プリントの最終コマ分（図３のＰ１に相当）の印画紙Ｐが合流部２０を通過した時点で、第２の露光系８で焼き付けた印画紙Ｅを第２の搬送系７により合流部２０で合流させて処理部５１へ搬送する。
【００２８】
このように、第１の露光系４のプレジャッジ動作の完了を検出して第２の露光系８で焼き付けを行い、この第２の露光系８で焼き付けた印画紙Ｅは、図３に示すように第１の露光系４で最終画像を焼き付けた印画紙Ｐの次に処理部５１に搬送されるから、例えば必ずオーダーの写真プリントの最後にインデックスプリントを得ることができる。
【００２９】
このように、第１の搬送系６から印画紙Ｅを第２の搬送系７の分岐部１９で分岐させ、この印画紙Ｅに第２の露光系８で焼き付けを行ない、その後に第１の搬送系６に合流部２０で合流させるから、第１の露光系４での焼き付けを第２の露光系８の焼き付けに影響させることなく、また平行して行うことができ、処理能力が向上する。合流部２０は、感光材料処理装置２の前であれば位置を問わない。
【００３０】
また、印画紙Ｐ及び印画紙Ｅの供給元は１つでもよいし、また２つの露光搬送系で別々にもってもよく、またどちらも使用できるように構成することも可能である。
【００３１】
【発明の効果】
前記したように、請求項１記載の発明では、第１の搬送系から印画紙を第２の搬送系で分岐させ、この印画紙に第２の露光系で焼き付けを行ない、その後に第１の搬送系に合流させるから、第１の露光系での焼き付けを第２の露光系の焼き付けに影響させることなく行うことができ、処理能力が向上する。
【００３２】
請求項２記載の発明では、第２の搬送系が、第１の露光系と処理部との間に位置しているから、第２の露光系で焼き付けられた印画紙を迅速に処理部に送り処理時間を短縮することができる。
【００３３】
請求項３記載の発明では、第２の露光系が、あるオーダーの現像済の写真フィルムの所定画像をまとめて焼き付けるから、第２の露光系によりインデックスプリントを得る焼き付けを行うことができる。
【００３４】
請求項４記載の発明では、第２の搬送系に、１枚以上の印画紙を確実に滞留することができるから、印画紙に第２の露光系により焼き付けを行い第１の搬送系に合流させることができる。
【００３５】
請求項５記載の発明では、第２の露光系で焼き付ける印画紙を予め搬送しておくことで、第１の露光系での焼き付けを処理に依存することなく、第２の露光系での焼き付け処理を開始することができる。
【００３６】
請求項６記載の発明では、第１の露光系での焼き付けの際実施されるプレジャッジ動作の完了を検出して第２の露光系で焼き付けを行い、この第２の露光系で焼き付けた印画紙の搬送は、第１の露光系で最終画像を焼き付けた印画紙の次に処理部に搬送するから、例えば必ずオーダーの写真プリントの最後にインデックスプリントを得ることができる。
【図面の簡単な説明】
【図１】感光材料処理装置と写真焼付処理装置とを一体的に構成したプリンタプロセッサの概略図である。
【図２】第１の露光部での処理を示す図である。
【図３】搬送順を示す図である。
【符号の説明】
３  写真焼付処理装置
４  第１の露光系
６  第１の搬送系
７  第２の搬送系
８  第２の露光系
５１  処理部
【図１】
0003672277.tif 000002
【図２】
0003672277.tif 000003
【図３】
0003672277.tif 000004